(57)【要約】【課題】  使用者にとって操作性に優れたカメラを提供する。【解決手段】  画像を記録可能な記録媒体と、撮影情報または再生情報が記憶された記憶部を備え、記録媒体とは異なるカメラアクセサリを装着可能な装着部と、装着部に装着されたカメラアクセサリから撮影情報または再生情報を取得する取得部と、取得部が取得した撮影情報または再生情報を設定する設定部とを備える。【選択図】  図１
2010199709.tif 000002
【特許請求の範囲】
【請求項１】
画像を記録可能な記録媒体と、
撮影情報または再生情報が記憶された記憶部を備え、前記記録媒体とは異なるカメラアクセサリを装着可能な装着部と、
前記装着部に装着された前記カメラアクセサリから前記撮影情報または前記再生情報を取得する取得部と、
前記取得部が取得した前記撮影情報または前記再生情報を設定する設定部とを備えること
を特徴とするカメラ。
【請求項２】
請求項１に記載のカメラにおいて、
前記カメラアクセサリが前記装着部に複数装着された場合は、前記設定部は、予め定められた優先順位に基づいて、優先順位の高い前記カメラアクセサリの前記撮影情報または前記再生情報を設定すること
を特徴とするカメラ。
【請求項３】
請求項１または請求項２に記載のカメラにおいて、
前記取得部が取得した前記撮影情報または前記再生情報を表示する表示部と、
前記表示部に表示された前記撮影情報または前記再生情報を選択する選択部とをさらに備え、
前記設定部は、前記選択部により選択された前記撮影情報または前記再生情報を設定すること
を特徴とするカメラ。
【発明の詳細な説明】
【技術分野】
【０００１】
本発明は、カメラに関する。
【背景技術】
【０００２】
機器の持つ機能に関するモード一覧をメニュー表示してこの中から所望のモードを選べるようにしたメニュー表示機能付き携帯用映像機器が知られている（特許文献１）。
【先行技術文献】
【特許文献】
【０００３】
【特許文献１】特開平５−８３６０６号公報
【発明の概要】
【発明が解決しようとする課題】
【０００４】
しかしながら、使用者は使用する機器ごとに所望のモードを選ばなければならず、操作が煩わしいという問題があった。
【課題を解決するための手段】
【０００５】
本発明によるカメラは、画像を記録可能な記録媒体と、撮影情報または再生情報が記憶された記憶部を備え、前記記録媒体とは異なるカメラアクセサリを装着可能な装着部と、前記装着部に装着された前記カメラアクセサリから前記撮影情報または前記再生情報を取得する取得部と、前記取得部が取得した前記撮影情報または前記再生情報を設定する設定部とを備えることを特徴とする。
【発明の効果】
【０００６】
本発明によれば、使用者にとって操作性に優れたカメラを提供することができる。
【図面の簡単な説明】
【０００７】
【図１】本発明の最良の実施の形態によるカメラの構成の概略を示すブロック図である。
【発明を実施するための形態】
【０００８】
本発明の最良の実施の形態によるカメラについて説明する。
【０００９】
図１は、この最良の実施の形態によるカメラ１００の構成の概略を示すブロック図である。
【００１０】
カメラ１００は、その筐体１０にレンズ２００、照明装置３００および電池４００が着脱自在に取り付けられている。これらレンズ２００、照明装置３００および電池４００は、カメラ１００の筐体１０に着脱自在なカメラアクセサリを構成している。
【００１１】
カメラ１００とレンズ２００は機械的コネクタ１によって機械的に抜き差し可能に結合され、機械的に結合されたとき、電気的コネクタ２によって電気的にも結合される。
【００１２】
レンズ２００は、所定の処理手順を制御プログラムとして記憶した、ＥＥＰＲＯＭ（Electrically Erasable Programmable Read Only Memory）といった図示しないフラッシュメモリを備えている。フラッシュメモリは、記憶内容を書き換え可能な不揮発性の情報記憶手段を構成している。また、レンズ２００は、フラッシュメモリに記憶された制御プログラムに従ってカメラ１００およびレンズ２００間の通信制御や、レンズ２００の駆動制御などを所定の制御として行うレンズＣＰＵ（Central Processing Unit）２１１を制御手段として備えている。レンズ２００は、レンズＣＰＵ２１１の制御により、被写体の光を撮像素子を構成するＣＣＤ（Charge Coupled Devices）１０１上に結像させ、ＣＣＤ１０１に被写体像を投影する。このため、レンズ２００は、その焦点を合わせるフォーカスレンズ２０１、カメラ１００の手振れを補正するＶＲ（Vibration Reduction）レンズ２０２、焦点距離を変更するズームレンズ２０４、レンズを通過する光量を調節する絞り２０３等から成る撮影光学系を持つ。レンズＣＰＵ２１１は、絞り２０３を開閉駆動する絞り駆動部２２３により、カメラ１００の指示に応じて絞り２０３による光量制御を行う。また、フォーカスレンズ２０１を駆動するＡＦ駆動部２２１により、焦点調節を行う。また、ズームレンズ２０４を駆動するズーム駆動部２２５により、焦点距離変更を行う。また、カメラ１００の手振れ量を検出するブレセンサ２０５の信号をＶＲ回路２２４によって取り出してカメラ１００の振れ量を測定し、ＶＲレンズ２０２を駆動するＶＲ駆動部２２２により、振れの光学的補正を行う。
【００１３】
カメラ１００の動作を制御するのはカメラエンジン１０４である。カメラエンジン１０４は、フラッシュメモリ１２１に所定の処理手順として記憶された制御プログラムに従って、動作する。このフラッシュメモリ１２１は制御プログラムメモリ領域を有するほか、記憶装置１４３と同等の画像メモリ領域も有している。また、カメラエンジン１０４にはＲＡＭ（Random Access Memory）１２２が接続されており、制御プログラム実行時の一時記憶作業領域として使用される他、撮影画像の画像処理時の一時メモリ、画像処理された撮影画像を記憶装置１４３に記憶するためのバッファ、記憶装置１４３に記録されている画像を読み出したときの一時メモリ、再生画像の画像処理時の一時メモリ、画像処理された再生画像の一時メモリ、モニタＬＣＤ１４５で表示する画像の一時メモリとして使用される。
【００１４】
半押しスイッチの押し下げ、レリーズスイッチの押し下げ、撮影再生切り替え等のカメラ１００の操作は、操作スイッチ１４１ａ、１４１ｂ、…１４１ｎにより検出され、スイッチ読み込み部１４１によりカメラエンジン１０４に伝達される。
【００１５】
カメラ１００は、レリーズスイッチの押し下げ操作に応じて、レンズ２００によってＣＣＤ１０１の撮像面に投影された被写体像を電気信号に変換し、画像処理して記録する撮影機能を有する。また、カメラ１００は、この撮影機能の他、撮影前にファインダーによって被写体を撮影者に確認させる機能、半押しスイッチの押し下げ操作に応じて被写体までの距離を測定したりレンズ２００を制御する機能、再生スイッチの操作に応じて撮影した画像を再生する機能等を有する。
【００１６】
レンズ２００を介してカメラ１００に到達する被写体光は、ミラー１１３によって反射して焦点板１１４に結像する。更に、ファインダー表示回路１３５により、ファインダー表示１１５に表示された撮影情報と合わさって、ペンタプリズム１１７を介して撮影者に被写体像と撮影情報を表示する。また、このときの光量を測光センサ１１６が測定し、測光回路１３６によって被写体の輝度が読み取られる。被写体光の一部は、ミラー１１３に設けられたサブミラー１１９によってＡＦ（Auto Focus）センサ１１８に導かれ、ＡＦセンサ１１８上に結像し、センサー回路１３３によってピント情報が読み取られる。ミラー１１３は、ミラー制御部１３４によって待機、復帰させられる。ミラー１１３が待避すると、被写体光はＣＣＤ１０１の方向へ導かれる。
【００１７】
ＣＣＤ１０１とレンズ２００との間にはシャッター１１１およびローパスフィルタ１１２が設けられており、シャッター１１１はシャッター駆動部１３１によってその開閉が駆動される。シャッター１０１が閉じている時にはＣＣＤ１０１は遮光されており、開いている時には、被写体像がＣＣＤ１０１上に結像される。また、レンズ２００を通った光は、ローパスフィルタ１１２によって高周波成分が排除されて、ＣＣＤ１０１に結像する。ローパスフィルタ１１２には振動機構１３２が接続されており、振動が与えられることで表面に付着したゴミが排除される。ＣＣＤ１０１はＣＣＤ駆動回路１０３により駆動され、撮像面に結像されている被写体像を電気信号に変換して撮像回路１０２に出力する。撮像回路１０２はＣＣＤ１０１の出力を増幅し、デジタル化する。記憶装置１４３は、カメラ１００に設けられた図示しないカードスロットに着脱可能な不揮発性のメモリーカード等の画像メモリであり、画像を記録可能な記録媒体を構成し、メモリインターフェイス１４２によりカメラ１００に接続される。メモリインターフェイス１４２の制御により、記憶装置１４３は、撮影された画像の記録や、記録された画像のカメラ１００への出力を行う。
【００１８】
また、カメラエンジン１０４は、カメラ１００の筐体１０の装着部に装着可能な、記憶装置１４３とは異なるカメラアクセサリ、本実施形態では、レンズ２００、照明装置３００および電池４００との間における情報の通信を行う通信手段を構成している。ここで言うカメラアクセサリは、撮影情報または再生情報が記憶された記憶部を備えている。また、通信手段は、装着部に装着されたカメラアクセサリから撮影情報または再生情報を取得する取得部を構成している。また、カメラエンジン１０４は、この通信手段を用いてカメラ１００の設定情報、例えば、シャッタースピードやホワイトバランスなどの撮影設定、再生画像設定、カスタム設定などをカメラアクセサリに転送し、カメラアクセサリが持つフラッシュメモリにカメラ１００の設定情報を記憶させる転送手段を構成している。さらに、カメラエンジン１０４は、取得部が取得した撮影情報または再生情報をカメラ１００に設定する設定部を構成している。
【００１９】
カメラアクセサリが装着部に複数装着された場合は、この設定部は、予め定められた優先順位に基づいて、優先順位の高いカメラアクセサリの撮影情報または再生情報をカメラ１００に設定する。設定手段は、カメラ１００に複数のカメラアクセサリが装着されている本実施形態のような場合、予め定められた優先順位に基づいて、複数のカメラアクセサリの各フラッシュメモリに記憶されたカメラの各設定情報の中から１つの設定情報を選択して、選択した設定情報をカメラ１００の設定に反映させる。例えば、レンズ２００、照明装置３００、および電池４００の中で予め決められた優先順位が電池４００が最も高い場合には、特定のボタンを押した際に、レンズ２００、照明装置３００ではなくて電池４００が持つフラッシュメモリから自動的にカメラの設定情報を取得し、カメラ１００に反映させる。
【００２０】
照明装置３００は、電池４００から供給される電源電圧を昇圧してメインコンデンサに充電し、暗所での撮影等の補助照明が必要な条件での撮影時に、メインコンデンサに充電された電荷をキセノンランプで放電して発光させ、被写体を照明する。なお、照明装置３００は、例えばＬＥＤ等で構成してもよい。照明装置３００は、所定の処理手順を制御プログラムとして記憶した図示しないフラッシュメモリ、およびフラッシュメモリに記憶された制御プログラムに従って所定の制御を行う図示しないＣＰＵを制御手段として備えている。
【００２１】
電池４００は、カメラ１００にその動作電力を供給する電力供給源を備え、この電池４００も、所定の処理手順を制御プログラムとして記憶した図示しないフラッシュメモリ、およびフラッシュメモリに記憶された制御プログラムに従って所定の制御を行う図示しないＣＰＵを制御手段として備えている。この電池４００のＣＰＵは、制御プログラムに従って電池４００の容量を監視し、常に電池残量を把握している。電池４００は、外部との通信を行うためのシリアルラインを備えている。カメラ１００は、このシリアルラインを介して定期的に電池４００のＣＰＵと通信を行い、電池４００の残容量を取得して、モニタＬＣＤ１４５の表示に反映させる。カメラエンジン１０４は、電池４００の残容量がレリーズ動作に不十分であると判定した場合は、レリーズ動作の禁止を行い、その旨をモニタＬＣＤ１４５の表示に反映する。
【００２２】
モニターＬＣＤ１４５は、ＬＣＤ駆動回路１４４によって制御され、取得部が取得した撮影情報または再生情報を表示する表示部を構成し、撮影された画像の再生等、撮影画像の表示を行う。本実施形態では、電池４００は、自身が有する電力供給源からの電力供給を受けて、自身が有するフラッシュメモリが記憶しているカメラの設定情報をＣＰＵの制御によって表示する図示しない表示部を備えている。また、カメラ１００は、モニターＬＣＤ１４５に表示された撮影情報または再生情報を選択する十字キーなどを選択部として備えており、設定部は、選択部により選択された撮影情報または再生情報をカメラ１００に設定する。
【００２３】
このような構成において、カメラ１００の電源スイッチが投入されると、スイッチ読み込み部１４１によりこの操作が検出されて、カメラエンジン１０４に電源投入信号が伝達される。この信号が伝達されると、カメラエンジン１０４により電源が起動され、電池４００から回路各部に電力が供給されて、撮影モード処理が行われる。電源投入時には振動機構１３２が制御されてローパスフィルタ１１２が振動させられ、表面に付着したごみが排除される。
【００２４】
撮影モード処理では、カメラエンジン１０４は、シャッター駆動部１３１を制御してシャッター１１１を閉位置に駆動制御し、ＣＣＤ１０１を遮光する。また、ミラー制御部１３４に指令してミラー１１３を復帰位置に駆動制御して、レンズ２００を介して入射される被写体像を焦点板１１４に結像させる。カメラエンジン１０４は、このときの被写体輝度を測光回路１３６を使って読み取り、露光条件を算出する。カメラエンジン１０４は、更にファインダー表示回路１３５を制御してファインダー表示１１５に撮影情報を表示させ、ファインダー表示を行い、撮影者に被写体像と撮影情報を表示する。
【００２５】
また、カメラエンジン１０４は、照明装置３００に指令してメインコンデンサの充電を行い、照明の準備を行う。また、レンズ２００のレンズＣＰＵ２１１に指示して絞り２０３の開放、ＶＲレンズ２０２の初期化を行わせる。
【００２６】
電源投入時の上記処理が終わり、カメラ１００の半押しスイッチが押されると、スイッチ読み込み部１４１によりこの操作が検出されて、カメラエンジン１０４に半押し検出信号が伝達される。この信号が伝達されると、カメラエンジン１０４によりカメラ１００の半押し処理が行われる。
【００２７】
この半押し処理では、カメラエンジン１０４は、レンズ２００のレンズＣＰＵ２１１に指示してカメラ１００の振動および振れ量を測定させ、振れを相殺するようにＶＲレンズ２０２を駆動させて、手振れ補正を実施させる。また、カメラエンジン１０４は、センサー回路１３３を制御して、被写体のピント情報を入手して被写体距離情報を算出する。カメラエンジン１０４は、算出した結果に基づいて、レンズ２００のレンズＣＰＵ２１１にフォーカスレンズ２０１を駆動させて、焦点を合わせるように指示する。レンズＣＰＵ２１１は、ピントがあった状態でフォーカスレンズ２０１の位置を維持させ、ＡＦロックを行う。また、カメラエンジン１０４は、測光回路１３６の出力から露光条件を算出し、露光条件を記録してＡＥ（Auto Exposure）ロックする。
【００２８】
次に、レリーズスイッチが押されると、スイッチ読み込み部１４１によりこの操作が検出されて、カメラエンジン１０４にレリーズ検出信号が伝達される。この信号が伝達されると、カメラエンジン１０４によりカメラ１００の撮影処理が行われる。
【００２９】
この撮影処理では、カメラエンジン１０４は、レンズ２００のレンズＣＰＵ２１１に指示して、ＡＥロックされた絞りに絞り２０３を駆動させる。また、カメラエンジン１０４は、ミラー制御部１３４によりミラー１１３を待避位置に駆動する。そして、シャッター駆動部１３１によりシャッター１１１を開位置に駆動し、ＣＣＤ駆動回路１０３によりＣＣＤ１０１の露光を開始させる。このとき、照明発光条件であれば照明装置３００を発光させる。露光開始時後、カメラエンジン１０４は、ＡＥロックされたシャッター速度の時間だけ露光を行い、シャッター駆動部１３１によりシャッター１１１を閉位置に駆動して露光を終了させ、撮像回路１０２にＣＣＤ１０１にて光電変換されたＣＣＤ信号を出力させる。また、レンズ２００のレンズＣＰＵ２１１に指示してＶＲレンズ２２２の手振れ補正を終了させ、ミラー制御部１３４によりミラー１１３を復帰位置に駆動する。引き続いて、撮像回路１０２にてＣＣＤ信号を増幅、デジタル化させ、デジタル化したＣＣＤ信号を受け取って画像処理して画像化し、ＲＡＭ１２２に記録する。次に、画像を圧縮して画像ファイル化して、再度ＲＡＭ１２２に記録する。また、カメラエンジン１０４は、スイッチ読み込み部１４１からカメラ１００の操作スイッチの記録先選択状態を読み取り、外部メモリが選択されていれば、ＲＡＭ１２２に記録された画像ファイルを記憶装置１４３に記録し、内部メモリが選択されていればフラッシュメモリ１２１に記録する。
【００３０】
また、カメラ１００のライブビュースイッチが操作されて、ライブビューモードが選択されると、スイッチ読み込み部１４１よりこの操作が検出されて、カメラエンジン１０４にライブビュー選択信号が伝達される。この信号が伝達されると、カメラエンジン１０４によりライブビューモードの処理が行われる。
【００３１】
このライブビューモードでは、カメラエンジン１０４は、ミラー制御部１３４によりミラー１１３を待避位置に駆動し、シャッター駆動部１３１によりシャッター１１１を開位置に駆動する。そして、ＣＣＤ駆動回路１０３によりＣＣＤ１０１を連続露光させて、ＣＣＤ信号を撮像回路１０２に出力させる。撮像回路１０２ではＣＣＤ信号を増幅、デジタル化し、カメラエンジン１０４はデジタル化したＣＣＤ信号を受け取って画像処理して画像化して、ＲＡＭ１２２に記録する。そして、カメラエンジン１０４は、ＲＡＭ１２２に記録された画像を逐次ＬＣＤ駆動回路１４４によってモニタＬＣＤ１４５に表示させる。これによって、動画画像がライブビューとしてモニタＬＣＤ１４５に表示される。ライブビューモード時は測光回路１３６を使用せず、ＣＣＤ１０１で得られた画像から被写体輝度を測定し、露光条件を算出する。ピント調整もセンサー回路１３３を使用せず、同様にＣＣＤ１０１で得られる画像からピント情報を読み取り、レンズ２００の焦点を合わせる。撮影条件はファインダー表示１１５に表示せず、動画画像に重ね合わせてモニタＬＣＤ１４５上に表示する。
【００３２】
カメラ１００のライブビュースイッチが再度操作されてライブビューモードの選択が解除されると、スイッチ読み込み部１４１によりこの操作が検出されて、カメラエンジン１０４にライブビュー解除信号が伝達される。この信号が伝達されると、カメラエンジン１０４によりモニタＬＣＤ１４５が消灯され、ミラー１１３がダウンされ、シャッター１１１が閉じられ、ファインダー表示１１５に撮影情報が表示され、以降の露光条件算出およびピント調整は、それぞれの測光センサ１１６およびＡＦセンサ１１８を使用して行われる。
【００３３】
また、カメラ１００の再生スイッチが操作されて、再生モードが選択されると、スイッチ読み込み部１４１によりこの操作が検出されて、カメラエンジン１０４に再生信号が伝達される。この信号が伝達されると、カメラエンジン１０４により再生モードの処理が行われる。ライブビューモード時はカメラエンジン１０４はライブビュー動作を止める。
【００３４】
再生モードでは、カメラエンジン１０４は、スイッチ読み込み部１４１からカメラ１００の操作スイッチの記録先選択状態を読み取り、外部メモリが選択されていれば記憶装置１４３から、内部メモリが選択されていればフラッシュメモリ１２１から、所定の画像、例えば最後に撮影された画像ファイルを読み取り、ＲＡＭ１２２に記録する。続いて、画像ファイルを解凍し、画像に戻してＲＡＭ１２２に記録する。さらに、カメラエンジン１０４は、ＲＡＭ１２２に記録された画像をＬＣＤ駆動回路１４４によってモニタＬＣＤ１４５に表示させる。カメラ１００の十字キーが操作され、コマ送り等の表示画像変更操作が行われると、スイッチ読み込み部１４１によりこの操作が検出されて、カメラエンジン１０４に表示変更信号が伝達される。この信号が伝達されると、カメラエンジン１０４により再生コマの変更が行われ、カメラ１００の十字キーの操作に応じて指定されたコマの画像ファイルが読み出され、表示画像が変更される。カメラ１００の再生スイッチが再度操作されて、再生モードの選択が解除されると、スイッチ読み込み部１４１より、カメラエンジン１０４に再生解除信号が伝達される。この信号が伝達されると、カメラエンジン１０４によりモニタＬＣＤ１４５が消灯され、上述した撮影モード処理が行われる。
【００３５】
このような本実施形態によるカメラ１００によれば、例えばフィルムカメラに対しても、フラッシュメモリおよびＣＰＵを備えたレンズ２００、照明装置３００および電池４００をカメラ１００に単に取り付けることにより、あるカメラ１００の設定情報を別のカメラ１００の設定情報として反映させて、カメラ１００間で設定情報を共通化させることが可能になり、利便性が向上する。
【００３６】
また、本実施形態によれば、電池４００が有する電力供給源からの電力供給を受けて、電池４００内のＣＰＵの制御によって、電池４００が有するフラッシュメモリに記憶されたカメラの設定情報が電池４００の表示部に表示される。このため、カメラの設定情報を記録した電池４００が複数ある場合、電池４００の表示部に表示される情報から、所望の設定情報を記憶した電池４００を速やかに識別でき、利便性がさらに向上する。
【００３７】
また、本実施形態によるカメラ１００によれば、カメラの設定情報を記憶したレンズ２００、照明装置３００および電池４００がカメラ１００に装着されている場合、予め定められた優先順位に基づいて、１つの設定情報が選択され、選択された設定情報がカメラ１００の設定に反映される。このため、使用者が意図しないカメラ１００の設定情報が勝手にカメラ１００の設定に反映されて、使用者の意図しない撮影が行われることがなくなる。
【００３８】
なお、上記実施形態では、カメラアクセサリを構成するレンズ２００、照明装置３００および電池４００は、フラッシュメモリおよびＣＰＵを備えていたが、ＣＰＵを備えずにカメラの設定情報を記憶するフラッシュメモリのみを備える構成であってもよい。
【００３９】
また、電池４００をパーソナルコンピュータ（パソコン）にＵＳＢ（Universal Serial Bus）接続し、パソコン画面を操作して、電池４００の設定情報を書き換える構成であってもよい。この場合、書き換えと同時にＵＳＢケーブルを介して電池４００を充電する構成にすると、利便性が向上する。
【００４０】
また、上記実施形態では、カメラ１００に複数のカメラアクセサリが装着されている本実施形態のような場合、予め決められた優先順位が最も高いカメラアクセサリから自動的にカメラの撮影情報を取得する構成とした。しかし、予め定められた優先順位として、最後に装着したカメラアクセサリを最も高い優先順位とする構成であってもよい。また、カメラアクセサリに記憶された設定をカメラ１００に反映させる際、その都度、使用者の選択操作に応じて、１つの設定を反映させるカメラアクセサリを選択する構成であってもよい。この場合、設定情報が記憶された複数のカメラアクセサリをカメラ１００に装着した後、特定のボタンを押して、各カメラアクセサリに記憶されたカメラの設定情報をカメラ１００に反映させようとする場合、どのカメラアクセサリのどの設定情報を選択するかの選択画面がモニタＬＣＤ１４５に表示され、使用者が選択部を用いて手動で選択する。
【００４１】
また、カメラアクセサリに記憶されたカメラの設定情報が、カメラ１００の設定情報としてカメラ１００に反映されるタイミングは、上述した実施形態では、特定のボタンを押したときであったが、カメラアクセサリを取り付けたタイミング、カメラアクセサリを取り付けてカメラ１００の電源をオンまたはオフにしたタイミング、レリーズスイッチのボタンを押した撮影タイミング等であってもよい。
【００４２】
また、カメラアクセサリに記憶されたカメラの設定情報をカメラ１００に反映させようとする際に、カメラ１００の設定情報数がカメラアクセサリに記憶された設定情報数を超え、カメラアクセサリに記憶されていない設定情報をカメラ１００が有している場合、その設定情報は変更せずにそのままにするか、またはデフォルト値にしてもよい。また、カメラアクセサリに記憶された設定情報数が、カメラアクセサリを取り付けようとするカメラ１００の設定情報数より多い場合、この多い分の設定情報はカメラ１００のモニタＬＣＤ１４５に表示しないようにしてもよい。
【００４３】
上記実施形態においては、本発明を静止画を撮影するカメラに適用した場合について説明したが、動画像を撮影するビデオカメラや、カメラ付き携帯電話機等のその他のカメラにも適用することが可能である。このようなカメラに本発明を適用した場合においても、上記実施形態と同様な作用効果が奏される。
【符号の説明】
【００４４】
１…機械的コネクタ
２…電気的コネクタ
１０…筐体
１００…カメラ
１０１…ＣＣＤ
１０２…撮像回路
１０３…ＣＣＤ駆動回路
１０４…カメラエンジン
１１１…シャッター
１１２…ローパスフィルタ
１１３…ミラー
１１４…焦点板
１１５…ファインダー表示
１１６…測光センサ
１１７…ペンタプリズム
１１８…ＡＦセンサ
１１９…サブミラー
１２１…フラッシュメモリ
１２２…ＲＡＭ
１３１…シャッター駆動部
１３２…振動機構
１３３…センサー回路
１３４…ミラー制御部
１４１…スイッチ読み込み部
１４１ａ、１４１ｂ・・１４１ｎ…操作スイッチ
１４２…メモリインターフェイス
１４３…記憶装置
１４４…ＬＣＤ駆動回路
１４５…モニタＬＣＤ
２００…レンズ
２０１…フォーカスレンズ
２０２…ＶＲレンズ
２０３…絞り
２０４…ズームレンズ
２０５…ブレセンサ
２１１…レンズＣＰＵ
２２１…ＡＦ駆動部
２２２…ＶＲ駆動部
２２３…絞り駆動部
２２４…ＶＲ回路
２２５…ズーム駆動部
３００…照明装置
４００…電池
【図１】
2010199709.tif 000003